(57)【要約】  イオンベースの放射線治療のための放射線治療計画を評価する方法であって、クーロン散乱のモデルを使用して、選択されたカットオフ角の上限値を有する第１の角度間隔の散乱角度に対してイオンの多重弾性散乱を決定するステップと、選択されたカットオフ角の下限値を有する第２の角度間隔の散乱角度に対してイオンの多重弾性散乱を決定するステップと、第１の角度間隔および第２の角度間隔に対して得られた結果それぞれに基づいて、第１の角度間隔の少なくとも一部と第２の角度間隔の少なくとも一部とを含む範囲の角度に対して散乱を決定するステップとを含む方法が提案されている。該方法は、従来の方法を使用したときに生じる大きい散乱角度での粒子の二重計算を防止する。【選択図】図１
2020501835.tif 000002
【特許請求の範囲】
【請求項１】
イオンベースの放射線治療の計画のためにイオン多重散乱をモデル化する方法であって、コンピュータ内で実行される、
クーロン散乱のモデルを使用して、選択されたカットオフ角の上限値を有する第１の角度間隔の散乱角度に対してイオンの多重弾性散乱を決定するステップと、
前記選択されたカットオフ角の下限値を有する第２の角度間隔の散乱角度に対してイオンの多重弾性散乱を決定するステップと、
前記第１の角度間隔および前記第２の角度間隔に対して得られた結果それぞれに基づいて、前記第１の角度間隔の少なくとも一部と前記第２の角度間隔の少なくとも一部とを含む範囲の角度に対して散乱を決定するステップと
を含む、前記方法。
【請求項２】
前記カットオフ角は、前記弾性散乱により、クーロン相互作用が優勢でない角度に散乱された大部分の粒子に対して前記カットオフ角よりも大きい散乱角度が形成されるように選択される、請求項１に記載の方法。
【請求項３】
前記第１の角度間隔における前記多重弾性散乱は、クーロン多重散乱のモデルを使用して実行される、請求項１または請求項２に記載の方法。
【請求項４】
前記第１の角度間隔における前記多重弾性散乱は、Ｇｏｕｄｓｍｉｔ−Ｓａｕｎｄｅｒｓｏｎモデルに従って決定される、請求項１〜請求項３のいずれか一項に記載の方法。
【請求項５】
前記第２の角度間隔に置ける前記散乱角度分布は、データベースからの角度微分断面積に基づいて決定される、または適切なモデルによって計算される、請求項１〜請求項４のいずれか一項に記載の方法。
【請求項６】
前記カットオフ角は、１°〜１５°の間隔で、例えば、５°で選択される、請求項１に記載の方法。
【請求項７】
コンピュータ内で実行されたときに前記コンピュータに請求項１〜請求項６のいずれか一項に記載の方法を実行させるコンピュータ可読コード手段を備える、コンピュータプログラム製品。
【請求項８】
第１のコンピュータデバイスで実行されたときに前記デバイスに請求項１〜請求項６のいずれか一項に記載の方法を実行させるコンピュータ実行可能命令で符号化された、非一時的なコンピュータ可読媒体。
【請求項９】
プロセッサ（３３）と、データメモリ（３４）と、請求項７に記載のコンピュータプログラム製品または請求項８に記載の非一時的なコンピュータ可読媒体を備えるプログラムメモリ（３５）とを備える、コンピュータシステム。
【発明の詳細な説明】
【技術分野】
【０００１】
本発明は、放射線治療計画におけるイオンの散乱をモデル化するためのシステムおよび方法に関する。
【背景技術】
【０００２】
放射線治療計画の患者への提供は、多くの要因の影響を受け、その重要な要因は、患者自身の生体構造である。患者の身体の構造変異は、粒子の散乱をもたらし、その経路を変化させ、その結果、得られる線量分布に影響を及ぼす。また、イオンが通り抜ける構造体の密度も経路長に影響を及ぼす。
【０００３】
ここでは、本発明は、陽子での使用に関して記載されているが、他のイオンにも適用可能であり、陽子のみに限定されないことは明らかであろう。
【０００４】
原子核における陽子の弾性散乱は、２つの力、すなわち、クーロン力と強い核力との複合作用によって引き起こされる。陽子と原子核との間のクーロン散乱は、それらの電荷間の電磁相互作用によって引き起こされる。核弾性散乱は、強い力による陽子と原子核との直接的な相互作用によって引き起こされる。実際は、２つの力は１つの区別できない相互作用として現れ、原理上は、互いに分離された形で研究され、または測定され得ない。
【０００５】
散乱プロセスが弾性散乱と呼ばれるのは、運動エネルギーが放射物または標的の内部励起エネルギーに変換されないからである。
【０００６】
クーロン力からの散乱は、小さい前方角度においては強い力より優勢になる。大きい角度では、これらは類似の大きさを有する。
【０００７】
組織を通過する陽子は、組織の１センチメートル当たり約何百万もの弾性散乱相互作用を受ける。例えば、放射線治療の放射線量の計算では、弾性散乱相互作用は、通常、いわゆる多重散乱理論に組み込まれる。このような理論では、非常に多くの弾性散乱は、大幅に少ない数の人為的な「多重散乱」相互作用に凝縮される。
【０００８】
患者の組織およびレンジシフタ（使用される場合）内の多重散乱により、ブラッグピーク領域から離れる一次陽子は弱くなり、入射陽子の方向に対して大きな角度で散乱するために二次イオンのハローが発生する。患者内の線量付与を予測することができるように、この現象を十分に詳細にモデル化することが必要である。散乱量は、陽子が辿る組織密度および組成に依存する。散乱は、ブラッグピーク領域の線量を、ときには大幅に、低減する。また、ハローが入射陽子の秘跡から無視できない量のエネルギーを除去するので、照射野サイズおよび照射野形状の複雑な線量変化をもたらす。したがって、イオン治療計画用に設計された任意のコンピュータプログラムは多重散乱を考慮に入れなければならない。
【０００９】
従来の方法は、電子および陽電子の多重散乱をモデル化するための方法である。例えば、従来、一部の放射線治療計画システムでは、電子弾性散乱に多重散乱のＧｏｕｄｓｍｉｔ−Ｓａｕｎｄｅｒｓｏｎ（ＧＳ）理論が適用されている。陽子線療法では、粒子散乱をモデル化するためのこのような方法は、典型的には、特に、いくつかの角度範囲において、不正確な結果をもたらす。
【００１０】
ＧＳ理論は、クーロン力のみによって引き起こされる多重散乱をモデル化する。これには、強い核力によって引き起こされる核弾性散乱は含まれない。
【発明の概要】
【発明が解決しようとする課題】
【００１１】
本発明の目的は、イオンベースの放射線治療における陽子および他のイオンの散乱をより正確に反映する陽子多重散乱のための確実なモデルを実現することである。
【課題を解決するための手段】
【００１２】
本発明は、陽子線治療における多重散乱をモデル化するためのコンピュータによる方法を提案する。該方法は、
−クーロン散乱のモデルを使用して、選択されたカットオフ角の上限値を有する第１の角度間隔の散乱角度に対してイオンの多重弾性散乱を決定するステップと、
−選択されたカットオフ角の下限値を有する第２の角度間隔の散乱角度に対してイオンの多重弾性散乱を決定するステップと、
−第１の角度間隔および第２の角度間隔に対して得られた結果それぞれに基づいて、第１の角度間隔の少なくとも一部と第２の角度間隔の少なくとも一部とを含む範囲の角度に対して散乱を決定するステップとを含む。
【００１３】
本発明はさらに、本発明の方法によるイオン散乱のモデル化を含む線量計算方法に関する。
【００１４】
第１の角度間隔における多重弾性散乱は、クーロン多重散乱の任意のモデル、例えば、Ｇｏｕｄｓｍｉｔ−ＳａｕｎｄｅｒｓｏｎモデルまたはＭｏｌｉｅｒｅモデルを使用して、計算され得る。
【００１５】
第２の角度間隔に置ける散乱角度分布は、データベースからの角度微分断面積に基づいて決定され得る、または適切なモデルによって計算され得る。好ましくは、第２の角度間隔における散乱角度分布は、クーロン多重散乱と強い核力による散乱の両方の作用を含む。
【００１６】
先行技術で使用されている従来の方法は、２つの力による散乱を２つの別個のプロセスとして扱い、作用を重畳させる方法である。この方法は、クーロン力が優勢である前方角度においては、かなり正確な結果をもたらす。しかしながら、大きな散乱角度においては、力が類似の大きさを有する場合、先行技術の方法は不一致の二重計算をもたらし、このことが誤解を招く結果を生み出すことになる。
【００１７】
この洞察が、多重散乱をモデル化すると同時に二重計算を避ける方法を提案する本発明の出発点である。二重計算を避けるために提案される方法は、０°〜１８０°の全ての角度ではなく特定のカットオフ角以下のクーロン散乱角度を含むことに限定されるように、ＧＳ理論を修正する方法である。カットオフ角は、クーロン力の作用が優勢である角度範囲のみが含まれるように選択される。その後、カットオフ角より大きい角度に対して核弾性散乱分布が追加される。核弾性散乱追加は、実験データに基づき得る、または何らかのモデルによって計算され得る角度微分断面積によって規定される。いずれの場合も、カットオフ角を超える核弾性散乱分布に対する入力データは、クーロン力と核力の両方の正味の作用を反映するものである。このようなデータは、文献に掲載されており、広範囲の入射陽子エネルギーにわたる多くの要素に使用可能である。
【００１８】
本発明は、モンテカルロ線量計算エンジンとの関連において最も簡単に使用される。その場合、該方法は、媒体を通過する陽子の経路のシミュレーション時の偏向角度をサンプリングする際に使用される。
【００１９】
要するに、本発明の方法では、ＧＳ理論にカットオフ角を適用し、カットオフ角より大きい角度に対して大角度弾性散乱分布を追加することによって、二重計算が避けられる。そのことにより、実際の状況を正確に反映した結果を使用して、基礎となる基本弾性微分断面積から始まる１つの一貫性のある形式化が達成される。
【００２０】
カットオフ角は、好ましくは、核弾性散乱により、クーロン相互作用が優勢でない角度に散乱された大部分の粒子に対してカットオフ角よりも大きい散乱角度が形成されるように選択される。適切なカットオフ角は、２°〜１０°、例えば５°であることがわかっている。好適な実施形態では、カットオフ角は、１°〜１５°の間隔、好ましくは、２°〜１０°の間隔で選択される。
【００２１】
提案されている方法は、治療計画で使用するためにモンテカルロ線量計算アルゴリズムで実施するのが簡単である。さらに、解析ベースの線量計算アルゴリズムの方法を含むことも可能である。
【００２２】
本発明はさらに、コンピュータで実行されたときにコンピュータに上記の方法の任意の実施形態の方法を実行させるコンピュータ可読コード手段を備えるコンピュータプログラム製品に関する。
【００２３】
本発明はさらに、第１のコンピュータデバイスで実行されたときにデバイスに上記の方法の任意の実施形態の方法を実行させるコンピュータ実行可能命令で符号化された非一時的なコンピュータ可読媒体に関する。
【００２４】
本発明はさらに、プロセッサと、データメモリと、上記のコンピュータプログラム製品または非一時的なコンピュータ可読媒体を備えるプログラムメモリとを備えるコンピュータシステムに関する。
【００２５】
例として、添付図面を参照しながら、本発明をより詳細に後述する。
【図面の簡単な説明】
【００２６】
【図１】陽子の多重散乱を示す図である。
【図２】本発明の方法のフローチャートである。
【図３】モンテカルロ線量計算エンジンで実施され得る本発明の一実施形態のフローチャートである。
【図４】陽子のＧＳサンプリングの一例を示す図である。
【図５】本発明の散乱計算に使用され得る断面積を表す図である。
【図６】本発明の方法が実施され得るコンピュータシステムを示す図である。
【発明を実施するための形態】
【００２７】
図１は、矩形３で示されている水塊を通過する陽子の多重散乱を示す図である。入射角を表す水平方向矢印で示された粒子は全て、同一のエネルギーＴｐおよび同一の角度θで水中に入る。水は、粒子が破線に沿って水塊３を直進するのではなく入射角の周囲に分散されるように粒子を散乱させる。分散５で示されているように、粒子の角度は近似的にガウス分布を形成する。実際の散乱は、粒子が通過する物質および粒子のエネルギーＴｐに依存する。
【００２８】
粒子の散乱は、様々な作用によって引き起こされる。陽子のような入射する陽イオンが水中の酸素原子核の近くを通過するときに、陽子と酸素原子核との間に作用する力は、入射イオンを偏向させる。偏向は、主に、比較的小さい角度での偏向である。この作用によって散乱された粒子は、狭い領域内の標的体積にエネルギーを付与する。入射陽イオンのごく一部は、酸素原子核の非常に近くを通過するので、より大きい角度で偏向される。大きい角度で散乱されるイオンは、小さい角度で散乱されるイオンとほぼ同じ距離移動するが、散乱角が大きいのでブラッグピークの外側のどこかに止まる。
【００２９】
本発明は、多重散乱の角度制限Ｇｏｕｄｓｍｉｔ−Ｓａｕｎｄｅｒｓｏｎ（ＧＳ）理論を陽子のモンテカルロ線量計算に適用することを含む。ＧＳ理論では、コンピュータコードにＧＳを適用するときに使用される事前計算データセットを使用するのが都合がよい。このデータセットは、ｑ２−表面と呼ばれ、相対論的Ｍｏｔｔ断面積によるクーロン相互作用の結果の散乱を示している。ｑ２−表面は、所定のカットオフ角より小さい散乱角のみが含まれる予備段階で生成される。また、モデル化の間にデータセットの計算を実行することも可能である。
【００３０】
図２は、本発明の方法全体を示すフローチャートである。
【００３１】
ステップＳ２１において、カットオフ角より小さい角度の弾性散乱に対して多重クーロン散乱が計算される。ステップＳ２２において、カットオフ角より大きい角度に対して弾性散乱が計算される。ステップＳ２３において、ステップＳ２１およびステップＳ２２の結果から組み合わされたデータが使用される。
【００３２】
図３は、陽子がエネルギーを全て失って停止するまで伝搬される場合におけるモンテカルロ線量計算コードに本発明を適用することができる方法のフローチャートである。該方法は、陽子を組織内の特定の短い距離だけ陽子を伝搬させるときに適用される。距離は、例えば、３ｍｍの線量ボクセルにわたる距離であり得る。
【００３３】
ステップＳ３１において、角度制限ＧＳ理論から多重散乱角がサンプリングされ、それに応じて陽子の方向が偏向される。
【００３４】
ステップＳ３２において、陽子の方向は、ステップＳ３１でサンプリングされた散乱角に従って偏向される。ステップＳ３１およびステップＳ３２は、図２のステップＳ２１に対応する。
【００３５】
ステップＳ３３において、カットオフ角〜１８０°で角度積分された二重微分断面積を使用して、大角度弾性散乱事象の確率が計算される。問題の性質上、この確率は小さくなり、およそ数パーセントになる（確率が大幅に大きい場合、本明細書に記載されている手順は修正される必要がある）。
【００３６】
ステップＳ３４において、ステップＳ３３で計算された確率に基づいて、大角度散乱事象が発生するかどうかが、ランダムサンプリングによって決定される。
【００３７】
ステップＳ３５において、大角度弾性散乱事象が発生する場合に、偏向角度は二重微分断面積からサンプリングされ、ステップＳ３６において、それに応じて陽子の方向が偏向される。例えば、水の場合、大角度の散乱事象は、ＥＮＤＦデータベース内に示されている陽子−酸素弾性微分断面積からサンプリングされ得る。ステップＳ３３〜Ｓ３６は、図２のステップＳ２２に対応する。
【００３８】
ステップＳ３６において、陽子がエネルギーを全て損失してしまうために媒体に吸収されるか、または組織に継続して通過させるために手順がステップＳ３１に戻る。
【００３９】
カットオフ角は、適用される分野に応じて選択されなければならない。陽子モンテカルロシステムに適用する場合、約５°のカットオフ角が適切であり得る。この角度は、ＥＮＤＦデータベース内に示されている陽子−原子核弾性断面積に対する最小の角度であるからである。他の用途では、およそ０．１〜１５°のカットオフ角、特に、２°〜７°のカットオフ角が適切であり得る。
【００４０】
図４は、１ｃｍの厚さの水塊における１００ＭｅＶの陽子に適用されるときの方法を示している。図４では、クーロン力のみが考慮され、核弾性散乱は考慮されていない。横軸は、度単位で偏向角度を示している。縦軸は、特定の角度の確率を対数目盛で示している。曲線Ｃ１は、全ての角度に対して制限の無い実際の完全なＧＳ多重散乱角度分布を示している。現実の状況では、これは認識されない。すなわち、この曲線は、方法の精度を示すためにのみここに含まれている。約３°から急激に降下する曲線Ｃ２は、縦方向の破線で示された３°のカットオフ角での制限ＧＳ角度分布を示している。曲線Ｃ３は、欠損マクロＭｏｔｔ断面積に従って大角度単一散乱が追加された制限ＧＳ曲線を示している。図示されているように、Ｃ１曲線およびＣ３曲線は全ての角度で重複している。
【００４１】
図５は、２つの異なる角度の微分断面積、つまり、クーロン散乱の断面積である、いわゆるＭｏｔｔ断面積（実線）と、大角度のデータによる破線とを示している。縦方向の点線は、５°および２０°の散乱角度をそれぞれ示している。上述したように、角度範囲全体にわたって、実際の断面積はクーロン力と強い力との複合作用の結果である。小さい角度では、クーロン力が優勢である。大きい角度では、２つの力は同様の強度の力であり、複雑に組み合わさって、標的の原子核の種類および入射陽子のエネルギーに対してウィグル特性を有する破線となる。曲線の大きな角度部分は、核弾性部分と呼ばれる場合もあるが、これは、クーロン力も角度による変化に影響を及ぼすので、必ずしも正確ではないことに留意すべきである。核弾性断面積を表す破線曲線は、５°の散乱角度から始まる。５°未満の角度では、クーロン相互作用が優勢である。大きい散乱角度では、純粋なＭｏｔｔ断面積が実際の断面積と一致しないことは明らかである。
【００４２】
図５に示されているケースでは、最大誤差を生じる範囲では、５°〜５０°の領域で散乱粒子の二重計算が避けられる。もし従来の方法を使用して散乱が計算されるとすれば、二重計算によって引き起こされる誤差は、この範囲では１０％〜１００％になるであろう。
【００４３】
組み合わされた断面積（図示せず）は、５°未満の角度のＭｏｔｔ断面積と、５°より大きい角度（この例では、選択されたカットオフ角である）の核弾性断面積とから成る。
【００４４】
図６は、本発明の方法が実施され得るコンピュータシステムの概略図である。コンピュータ３１は、プロセッサ３３と、データメモリ３４と、プログラムメモリ３５とを備える。好ましくは、キーボード、マウス、ジョイスティック、音声認識手段、または任意の他の利用可能なユーザ入力手段の形態のユーザ入力手段３７、３８も存在する。
【００４５】
評価される治療計画は、データメモリ３４から取得される。治療計画は、コンピュータ３１内で作成され得る、または当分野で周知の別の記憶手段から受信され得る。
【００４６】
データメモリ３４は、典型的には、治療計画に関連する様々なデータを保持する。理解されるように、データメモリ３４は概略的に示されているに過ぎない。例えば、治療計画に対して１つのデータメモリ、ＣＴスキャンに対して１つのデータメモリなどというように、各々が１つまたは複数の異なるタイプのデータを保持する複数のデータメモリユニットが存在し得る。プログラムメモリ３５は、本発明に従って計画評価を実行するためにプロセッサを制御するように準備されたコンピュータプログラムを保持する。
【図１】
2020501835.tif 000003
【図２】
2020501835.tif 000004
【図３】
2020501835.tif 000005
【図４】
2020501835.tif 000006
【図５】
2020501835.tif 000007
【図６】
2020501835.tif 000008
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
イオンベースの放射線治療の計画方法であって、イオン多重散乱をモデル化するステップを含み、
前記モデル化するステップが、
クーロン散乱のモデルを使用して、選択されたカットオフ角の上限値を有する第１の角度間隔の散乱角度に対してイオンの多重弾性散乱を決定するステップと、
前記選択されたカットオフ角の下限値を有する第２の角度間隔の散乱角度に対してイオンの多重弾性散乱を決定して、前記第２の角度間隔のクーロン力と核力の両方の正味の作用を反映する、ステップと、
前記第１の角度間隔および前記第２の角度間隔に対して得られた結果それぞれに基づいて、前記第１の角度間隔の少なくとも一部と前記第２の角度間隔の少なくとも一部とを含む範囲の角度に対して散乱を決定するステップと
を含む、操作をコンピュータ内で実行する、
計画方法。
【請求項２】
前記カットオフ角は、前記弾性散乱により、クーロン相互作用が優勢でない角度に散乱された大部分の粒子に対して前記カットオフ角よりも大きい散乱角度が形成されるように選択される、請求項１に記載の計画方法。
【請求項３】
前記第１の角度間隔における前記多重弾性散乱は、クーロン多重散乱のモデルを使用して実行される、請求項１または請求項２に記載の計画方法。
【請求項４】
前記第１の角度間隔における前記多重弾性散乱は、Ｇｏｕｄｓｍｉｔ−Ｓａｕｎｄｅｒｓｏｎモデルに従って決定される、請求項１〜請求項３のいずれか一項に記載の計画方法。
【請求項５】
前記第２の角度間隔に置ける前記散乱角度分布は、データベースからの角度微分断面積に基づいて決定される、または適切なモデルによって計算される、請求項１〜請求項４のいずれか一項に記載の計画方法。
【請求項６】
前記カットオフ角は、１°〜１５°の間隔で、例えば、５°で選択される、請求項１に記載の計画方法。
【請求項７】
コンピュータ内で実行されたときに前記コンピュータに請求項１〜請求項６のいずれか一項に記載の計画方法を実行させるコンピュータ可読コード手段を備える、コンピュータプログラム製品。
【請求項８】
第１のコンピュータデバイスで実行されたときに前記デバイスに請求項１〜請求項６のいずれか一項に記載の計画方法を実行させるコンピュータ実行可能命令で符号化された、非一時的なコンピュータ可読媒体。
【請求項９】
プロセッサ（３３）と、データメモリ（３４）と、請求項７に記載のコンピュータプログラム製品または請求項８に記載の非一時的なコンピュータ可読媒体を備えるプログラムメモリ（３５）とを備える、コンピュータシステム。
【国際調査報告】
2020501835.tif 000009
2020501835.tif 000010
2020501835.tif 000011